(57)【特許請求の範囲】
【請求項１】
流体製品用ディスペンサであって、
前記流体製品を格納する折り畳み可能バッグ（２４）であって、柔軟な素材から成り、前記素材の周辺部分によって形成される開放端部を有する、という前記バッグと、 前記バッグに装着される支持部（３０）であり、
前記バッグの開放端部に保持されていると共にシール処理で前記バッグ素材に固定された係合構造（３２）を有し、前記バッグの内部に通じる経路（７２）を形成する前記支持部と、
前記バッグを保持するとともに前記支持部に装着することのできる中空のボディ（８０）と、
指で操作可能なポンプ（１４）であって、前記経路（７２）内を伸びるように前記支持部（３０）に取り付けることができ、前記バッグの内部に通じる吸入口と放出口とを有する前記ポンプと、を有し、
特徴となるのは、前記構造（３２）が平行に間隔の開いた複数のフランジ（４６，５２）を有し、バッグ素材はこれらフランジに熱シール処理されること、そして、
保持部材（１３０）が前記支持部に装着され、ポンプを両者の間に維持しており、前記保持部材は、前記支持部通路（７２）に隣接する位置に置かれる開口部を形成すると共に前記開口部の周囲に少なくとも１つのクランピング面を形成し、前記支持部又は前記保持部材の一方がビード（２０２）を形成すると共に、もう一方が前記ビードを保持するための溝（７４）を形成しており、前記支持部及び／又は前記保持部材は、弾性変形可能であって、前記ビードと溝との相対移動を調節し、スナップフィットの係合を実現させること、
であるディスペンサ。
【請求項２】
前記接続構造は、並行に間隔の開いた第1の組のフランジ（４６）と並行に間隔の開いた第２の組のフランジ（５２）とが反対を向いて伸びる形で成り、前記構造はほぼ菱形の形状を有すること、
を特徴とする請求項１に記載のディスペンサ。
【請求項３】
各々のフランジの組は３つのフランジを有すること、
を特徴とする請求項２に記載のディスペンサ。
【請求項４】
前記支持部係合構造は、下方向に突き出し、前記支持部通路の一部を規定する円柱ボアを有する中空構造と、前記中空構造から外側に向けて放射状に伸びる２つの同一平面壁とを有し、前記第１及び第２の組のフランジに属す各々の前記フランジは、前記中空構造から、そして、前記２つの壁から、前記２つの壁に対しおおよそ垂直な方向に伸びること、
を特徴とする請求項１乃至３のいずれかに記載のディスペンサ。
【請求項５】
前記フランジは、前記ボアからの距離が大きくなるにつれて前記幅が小さくなること、
を特徴とする請求項４に記載のディスペンサ。
【請求項６】
壁（４１，４２）は各々、フランジ（４６，５２）にかぶさる形で伸びる端部（５６，５８）を有すること、
を特徴とする請求項４又は５に記載のディスペンサ。
【請求項７】
前記支持部は少なくとも１つ、外側に向かって突き出すリブ（１０２）を有し、前記ボディは少なくとも１つ、内側に向かって伸びるレッジ（９４）を有し、前記支持部及びボディの少なくとも一方は、弾性変形可能であって、前記リブ及びレッジの相対移動を調節し、スナップフィットを実現する形で対向する位置関係にすること、
を特徴とする請求項１乃至６のいずれかに記載のディスペンサ。
【請求項８】
前記支持部が前記リブを複数有し、前記ボディが前記レッジを複数有し、前記レッジの各々は、前記リブのいずれか１つと、スナップフィット係合の形で対向していること、
を特徴とする請求項７に記載のディスペンサ。
【請求項９】
前記リブは、角度のついたカム表面を有すること、
を特徴とする請求項７又は８に記載のディスペンサ。
【請求項１０】
前記ボディは、前記レッジ（９８）の上方に、角度のついたカム表面を形成していること、
を特徴とする請求項８又は９に記載のディスペンサ。
【請求項１１】
前記ボディは、前記レッジの下に前記リブを保持するためのリセスを形成していること、
を特徴とする請求項７乃至１０のいずれかに記載のディスペンサ。
【請求項１２】
前記支持部は、前記通路（７２）を形成して上側端部で終る環状壁（６８）を有し、前記環状壁の外部表面は、前記溝を、外に向かって開いた環状の溝として形成しており、前記保持部材は、前記支持部の前記環状壁を保持するための環状スリーブ（１９０）を有し、前記ビード（２０２）は前記スリーブ上を内側に向かって伸びるビードであること、
を特徴とする請求項１乃至１１のいずれかに記載のディスペンサ。
【請求項１３】
前記保持部材（１３０）は、ボディ（８０）にスナップフィットされており、両者の間に支持部（３０）を保持していること、
を特徴とする請求項１乃至６のいずれかに記載のディスペンサ。
【請求項１４】
前記保持部材（１３０）は、ポンプ用の保持手段（１９６）を有すること、
を特徴とする請求項１乃至１３のいずれかに記載のディスペンサ。
【請求項１５】
前記バッグ素材は、熱シール処理可能な熱可塑性素材であり、前記支持部は熱シール処理可能な熱可塑性の素材から成形されており、前記支持部の前記係合構造は、前記バッグへ熱シール処理されていること、
を特徴とする請求項１乃至１４のいずれかに記載のディスペンサ。
【発明の詳細な説明】
【０００１】
本発明は、流体製品を出すためのディスペンサに関し、特に、指で操作可能なポンプと、流体製品を格納するための可撓性の折畳み可能なバッグとを備えるディスペンサの組立部品に関する。
【０００２】
好適には、可撓性の折畳み可能バッグに流体製品が真空中で充填され、バッグは指操作可能ポンプに取付けられる。 バッグは、排気形の保護ハウジングに配され、ハウジングにはバッグ外部を囲むように気圧空気が入れられる。このような設計は概して充分な効果を発揮するが、より製造を容易にするために、ディスペンサの設計の改良が望まれる。
【０００３】
とりわけ、従来の指操作可能ポンプを組み入れた改良が有益である。 そのような改良によって、流体製品の折畳み可能バッグへの充填、ポンプの取付け、さらにその他のディスペンサ部品の組立てをも、最小数の工程あるいは特別な製造動作で容易になされることが望ましい。
また、過度な数の部品を必要とせず、また過度に細かな製造許容差や組立許容差を必要とせず、比較的早く安価に組立てられるようなディスペンサの設計の改良が有益である。
【０００４】
さらに、実用的観点あるいは美的観点から好ましいとされる外形を実現できるよう、ディスペンサ部品のさまざまな箇所を比較的簡単に変更できるとより有益である。
【０００５】
本発明に係るディスペンサは、一式の部品から容易に組立てることができる。 製品の充填は、真空中で行うのが望ましい。 好ましい実施の形態では、ディスペンサ部品は2つのサブアセンブリに分けられる。 流体製品が真空中で第1のサブアセンブリに充填された後、第2のサブアセンブリが第1のサブアセンブリに取付けられることにより、ディスペンサが完成する。
【０００６】
第1のサブアセンブリは、3つの部品を接続することによって形成される。 第1のサブアセンブリにおける第1の部品は、流体製品を格納するための折畳み可能バッグである。 バッグは、可撓性材料からなり、同物質の周辺部分によって定義される開端部を有する。
第1のサブアセンブリにおける第２の部品は、バッグに取付けられる支持部である。 支持部は、バッグの開端部にてバッグと係合する構造を持つ。 この支持部の係合構造は、バッグの材料にシールされるようにして固定される。 支持部は、バッグ内部へ通じる通路を定義する。
第1のサブアセンブリにおける第３の部品は、筐体あるいは中空ボディである。 筐体あるいは中空ボディは、バッグを収容すると共に、支持部に、好適にはスナップフィット係合により、取付けられる。 好ましい実施の形態において、筐体あるいは中空ボディは、ほぼその長さに渡って本質的に剛性であり、その底端部は、一般的に直立にディスペンサを支えるベースとしての役割を果たす。 ベースは、バッグ外部の周囲外気をバッグ内部に入れるための1以上の通気孔を含むのが望ましい。
【０００７】
第２のサブアセンブリは、2つの主な部品から組立てられ、さらに好適には１つあるいは２つの付加部品を含む。 第2のサブアセンブリにおける第1の部品は、保持部材である。 保持部材は、第1のサブアセンブリの支持部に、好適にはスナップフィット係合によって、取付けられる。 保持部材は、(1)支持部通路に隣接する開口部と、(2)開口部の周りの1以上のクランピング表面とを定義する。
第２のサブアセンブリにおける第2の部品は、支持部と保持部材クランピング表面との間に装着される指操作可能ポンプである。 適確に装着された指操作可能ポンプは、支持部通路内及び保持部材の開口部内を走る。 ポンプは、折畳み可能バッグの内部に通じる入口と、保持部材開口部から突き出た出口とを有する。
第2のサブアセンブリは、好適には第3の部品を含む。 第3の部品とは、ポンプと、ポンプが保持部材に保持されて装着される支持部との間の漏れ防止のためのシールを確保するべく設けられる個別のガスケットである。
【０００８】
さらに、第2のサブアセンブリは、任意に第4の部品を含む。 第4の部品とは、上方向に突き出たポンプの出口端に取付けられ、ディスペンサから流体製品を出したいときユーザによって取外されるカバーもしくはキャップである。
概して、第1のサブアセンブリは、折畳み可能バッグを支持部にシールするように固定し、筐体もしくは中空ボディを支持部に取付けることによって組立てられる。 その後、真空を利用した充填過程において、支持部通路を通して、バッグに流体製品が充填される。
【０００９】
次に、保持部材が支持部に取付くように、真空中で第2サブアセンブリのポンプと保持部材が第1サブアセンブリに装着される。 さらに好適には、ポンプと保持部材を支持部に装着する前に、上記のガスケットがポンプに配される。
ディスペンサがキャップを備える場合は、第2のサブアセンブリを第1のサブアセンブリに装着する前に、キャップが、ポンプ上の保持部材に取付けられる。
【００１０】
本発明の１つの側面として、シールタイトな形でバッグを支持部に装着するための手段を提供する。具体的には、本発明のディスペンサ装置は、流体製品用ディスペンサであって、前記流体製品を格納する折り畳み可能バッグであって、柔軟な素材から成り、前記素材の周辺部分によって形成される開放端部を有する、という前記バッグと、前記バッグに装着される支持部であり、前記バッグの開放端部に保持されていると共にシール処理で前記バッグ素材に固定された係合構造を有し、前記バッグの内部に通じる経路を形成する前記支持部と、前記バッグを保持するとともに前記支持部に装着することのできる中空のボディと、指で操作可能なポンプであって、前記経路内を伸びるように前記支持部に取り付けることができ、前記バッグの内部に通じる吸入口と放出口とを有する前記ポンプと、を有し、特徴となるのは、前記構造が平行に間隔の開いた複数のフランジを有し、バッグ素材はこれらフランジに熱シール処理される、というディスペンサ装置である。
【００１１】
また、前記接続構造は、並行に間隔の開いた第1の組のフランジと並行に間隔の開いた第２の組のフランジとが反対を向いて伸びる形で成り、前記構造はほぼ菱形の形状を有すること、とすれば効果的である。また、各々のフランジの組は３つのフランジを有するとすることが望ましい。バッグの開口部はフランジの外側エッジでシール処理されており、それによって、各フランジの高さでシール処理バリアを形成している。バッグ素材は各フランジ上にシール処理され、それによって、完全な周辺シール処理ビードを形成している。フランジは複数あるので、シール処理バリアの数も多くなる。シール処理の範囲は、フランジの外側エッジ上にのみ伸びており、連続した平坦面には伸びていないため、フランジが部分的にしか溶解処理を施されなくとも、熱シール処理の接合部の品質に問題は生じない。さらに、ダイヤ形又は目の形をしているおかげで、バッグの開口部を接続構造に装着することが容易である。これは、フレキシブルバッグが、２枚のシートを接合させたり熱シール処理することで一体化した形の構成となっていることが多いからである。
【００１２】
また、前記支持部係合構造は、下方向に突き出し、前記支持部通路の一部を規定する円柱ボアを有する中空構造と、前記中空構造から外側に向けて放射状に伸びる２つの同一平面壁とを有し、前記第１及び第２の組のフランジに属す各々の前記フランジは、前記中空構造から、そして、前記２つの壁から、前記２つの壁に対しおおよそ垂直な方向に伸びる、とすれば効果的である。
また、前記フランジは、前記ボアからの距離が大きくなるにつれて前記幅が小さくなる、とするのが好ましい。
【００１３】
さらに、他の特徴として壁は各々、フランジにかぶさる形で伸びる端部を有することがある。これらの終端部分は、菱形の各端部に設けられた小さなフラップの形をしており、バッグ素材の接合面の高さに位置している。これら２つの終端部分は、バッグの接続構造上への接合処理の間に、部分的に溶けて、より薄くなり、その結果、バッグ素材はちょうど接続構造を離れたところで一体化する。この高さでの漏れが生じる可能性は排除される。
【００１４】
また、本発明に関する別の注目すべき特徴として、前記支持部は少なくとも１つ、外側に向かって突き出すリブを有し、前記ボディは少なくとも１つ、内側に向かって伸びるレッジを有し、前記支持部及びボディの少なくとも一方は、弾性変形可能であって、前記リブ及びレッジの相対移動を調節し、スナップフィットを実現する形で対向する位置関係にする、ということがある。また、前記支持部が前記リブを複数有し、前記ボディが前記レッジを複数有し、前記レッジの各々は、前記リブのいずれか１つと、スナップフィット係合の形で対向している、としても効果的である。支持部は、バッグのために前記接続構造を形成しているが、さらに、固い中空のボディ又はシェルへのスナップフィットによる係合を可能とする手段を形成する。そのため、これら３つの要素（支持部、バッグ、そして中空ボディ）は、前もって取付けすることで、先ず、上述した組立部品を形成することができる。その後、フレキシブルバッグに中身を充填し、ポンプを支持部に取り付ければ、完成品のディスペンサが得られる。
【００１５】
また、前記リブは、角度のついたカム表面を有する、としても効果的である。さらに、前記ボディは、前記の肩にかぶさる形のカム状表面を形成する。角度を付けたカム状表面の両方は、こうして協動し、ボディ上への支持部のスナップフィット係合を容易にする。
【００１６】
本発明の他の側面として、前記ボディは、前記レッジの下に前記リブを保持するためのリセスを形成している、ということがある。
また、本発明に関する別の注目すべき特徴として、保持部材が前記支持部に装着され、ポンプを両者の間に維持しており、前記保持部材は、前記支持部経路に隣接する位置に置かれる開口部を形成すると共に前記開口部の周囲に少なくとも１つのクランピング面を形成し、前記支持部又は前記保持部材の一方がビードを形成すると共に、もう一方が前記ビードを保持するための溝を形成しており、前記支持部及び／又は前記保持部材は、弾性変形可能であって、前記ビードと溝との相対移動を調節し、スナップフィットの係合を実現させる、ということがある。こうして、保持要素は、指示部にスナップフィットで噛み合わされていると共に、一方で、両者の間にポンプクラムを保持している。また、前記支持部は、前記経路を形成して上側端部で終る環状壁を有し、前記環状壁の外部表面は、前記溝を、外に向かって開いた環状の溝として形成しており、前記保持部材は、前記支持部の前記環状壁を保持するための環状スリーブを有し、前記ビードは前記スリーブ上を内側に向かって伸びるビードである、としても効果的である。
【００１７】
そして、前記バッグ素材は、熱シール処理可能な熱可塑性素材であり、前記支持部は熱シール処理可能な熱可塑性の素材から成形されており、前記支持部の前記係合構造は、前記バッグへ熱シール処理されている、とすることが望ましい。
【００１８】
本発明に関わるディスペンサは図１に示され、図１における参照番号１０により表される。ディスペンサ１０は、一般的に、液体、クリーム、ペースト等の流体製品の投与に適用され、化粧品、香料、医薬品の分野に応用することが出来る。
ディスペンサ１０は、突出していて、指で操作可能なポンプ１４を備えるコンテナーアセンブリを含む。ポンプ１４は、外部作動ボタン、すなわちプランジャー１６を押圧することにより作動し、投与オリフィス１８から適量の流体製品を投与する与圧ピストンが配された従来のタイプのポンプチャンバーを備える。光学カバー、すなわちキャップ２０は、ポンプ１４に取りはずし可能な状態で取り付けられる（図１及び３）。
【００１９】
ディスペンサ１０は、流体製品を格納するための折り畳み可能バッグ２４を備える。バッグ２４は、可撓物質よりなる。可撓物質は、熱可塑性物質であって、好ましくは、熱シールの可能な、ポリ塩化ビニル、ポリプロピレンのフィルム等である。バッグ２４は、図３の２６に示す様に、３端を熱シールされる物質からなる２枚のウェブ又はシートから好適に加工され、開口端部を除くと、全体的に閉じたバッグを構成する。
【００２０】
バッグ２４の開口端部は、支持部３０にシールされ、固定される（図３）。支持部３０は、バッグ２４の開口端部において収納される係合構造３２（図３）を備える。係合構造３２は、折り畳み可能バッグ２４の内部に連絡する一般的な円筒ボア３８を構成する下方向に突出した空洞構造３６を有する。
図３に示すように、係合構造３２は又、空洞構造３６から外方向に放射状に伸びる２つの共面壁４１及び４２を有する。図５に示すように、本実施形態では、壁４１は、厚みの小さい端部５６を有する。
同様に、壁４２も、厚みの小さい端部５８を有する。
【００２１】
間隔を置いて平行に配された、例えば３つの、第一の、ナーブル、リッジ、つまりフランジ４６は、壁４１及び４２から、又、空洞構造３６から一方の横方向に、外に伸びる。
【００２２】
図８に示すように、間隔を置いて平行に配された、例えば３つの、第二のフランジ５２は、壁４１及び４２から、又、空洞構造３６から、もう一方の横方向に外に伸びる。
フランジは、ボア３８から遠くなるにつれて狭くなることが望ましい。つまり、フランジの幅は、ボア３８からの距離が増すにつれて減少することが望ましい。図５に示すように、係合構造３２の底面は、人間の開いた目の正面立面図のような構造であって、ボア３８は瞳孔、その周りの構造は、白目部分の様に考えられる。
【００２３】
図６及び７に示すように、折り畳み可能バッグ２４は、熱シールすることが好ましい。そうでない場合は、係合構造をもったフランジ４６及び５２の周辺部に沿ってシールし、固定する。又、折り畳み可能バッグ２４は、壁４１及び４２の厚みの小さい端部５６及び５８にそれぞれ熱シールされる。従って、バッグ２４の開口端部は、その周辺部において支持係合構造３２にシールされ、固定される。一方、バッグ２４の内部との連絡は、空洞構造３６のボア３８を通して可能となっている。支持部３０は、フランジ４６及び５２の上部に平行に位置するデッキ６０を含む。デッキ６０は、中央壁４１及び４２に沿って伸び、中央壁４１及び４２に係合され、更に、厚みの小さい端部５６及び５８に係合される。
【００２４】
一対のリブ６２と一対の短いリブ６４がデッキ６０から上方向へ突出する。又、デッキ６０から、上端部６９を有する環状壁６８（図２）が上方向に突出する。環状壁６８の外部表面には、外方向に開いている環状溝７４が構成される。
環状壁６８は、その下に位置する空洞構造３６のボア３８から伸び、ボア３８と同軸を有するボア７０を構成する。ボア３８とボア７０によって、バッグ２４の内部と連絡する支持部３０を通して、経路７２が構成される（図２、４、及び５）。尚、経路７２は、ポンプ１４の下端部を収納できる大きさである。
【００２５】
支持デッキ６０は、支持部３０を、折り畳み可能バッグ２４を包囲し保護する外容器、すなわち空洞ボディ８０に係合する手段又は構造を有する。空洞ボディ８０は、支持デッキ６０を収納するために上部に開口を有し、ディスペンサを、略直立の向きに支持する略平面の底面８４を構成する閉口底面を有する。底面８４は、バッグ２４の外部周辺のボディ内部において外気を入れるための一以上の通気孔８６を有することが望ましい。
ボディ８０の上部の開口部において、ボディ８０は、内部の周辺肩８８を構成する（図９）。ボディ８０は又、レッジ８８に隣接して、互いに間隔を置いて配された４つのレセス９０を構成する。各レセス９０の底部は肩８８によって構成される。各レセス９０の上部は、上からかぶさるレッジ９４によって構成される（図７）。各レッジ９４上のボディ８０の上端部は、角度をつけられ、すなわち、面取りされ、カム表面９８を構成している（図７）。
【００２６】
支持部３０は４つの噛み合わせ部材、すなわちリブ１０２を有する。各リブ１０２は、空洞であるボディのリセス９０の一つに受け止められる。各リブ１０２は、支持部のデッキ６０の側面から水平方向に突出している。各リブ１０２は、上を向いている肩１０６と内側に角度のついたカム表面１１２とを含む（図７）。
支持部３０とボディ８０とのいずれか又は両方は、デッキリブ１０２とボディレッジ９４の上方との相対的な動きが調整されて向かい合い、スナップフィット係合がなされるように、少なくともデッキリブ１０２の領域及び／又はボディレッジ９４の領域は弾力があり、湾曲しうる。この動作は、デッキリブのカム表面１１２を最初に噛み合わせるボディカム表面９８によって容易なものとなる。十分に大きな対抗する軸方向の力が支持部３０及びボディ８０にかかるとき、デッキリブ１０２がボディレッジ９４の上方の内側端を通って移動することができるように、支持部３０とボディ８０とのいずれか又は両方は、放射状方向に、一時的に湾曲するか歪むかする。図７に示す通り、デッキリブ１０２がボディレッジ９４の上方とボディ内側肩８８との間と噛み合うことにより、上記スナップフィット係合が確立される。
【００２７】
上記のように、折畳み可能なバッグ２４が支持部３０にシール状態で固定された後、そして支持部３０が空洞ボディ８０に取り付けられた後、結果として得られるアセンブリは、下部のサブアセンブリすなわち第1のサブアセンブリと特徴付けられる。このサブアセンブリは、流体製品製造業者に提供され、そこで折畳み可能なバッグ２４に流体製品が充填される。この結果、追加のディスペンサの部品は、以下に示すように、上部のサブアセンブリすなわち第２のサブアセンブリを含み、充填された第1のサブアセンブリの上に搭載される。
【００２８】
下部のサブアセンブリの上に搭載される第２のサブアセンブリすなわち上部のサブアセンブリは、少なくとも２つの構成要素を含む。その一つはポンプ１４であり、他の一つは保持部材１３０である（図２）。作動ボタン１６はポンプ１４の一部とみなすことができる。上部のサブアセンブリは、追加の構成要素を含むのが望ましい。そのような追加の構成要素には、ガスケット１３４（図２）およびキャップすなわちカバー２０（図２、３）が含まれる。ポンプ１４は、最初、保持部材１３０の中に搭載される。その際、ガスケットを採用する場合には、ガスケット１３４とともに搭載される。
【００２９】
ポンプ１４は、支持部３０の環状壁６８の上方端６９の上に、又は間を隔てて上に配置される、放射状に伸張した搭載フランジ１４０（図２、３）を有する。好ましくは、シールが確実に漏洩のないものとなるように、ポンプフランジ１４０と支持部３０の上方端６９との間にガスケット１３４を配置する。しかし、ポンプ１４及び／又は支持部３０を構成する材料によっては、ガスケットを省略してもよい。また、ガスケット１３４は、ポンプフランジ１４０と支持部３０の上方端６９とのいずれかと一体化した部分として提供してもよい。
【００３０】
ポンプ１４は、任意の適切な非排気型ポンプであって、ピストンが中に設置された内部チャンバー（図示せず）を有する。ピストンは、ポンプボディの上方端を越えて伸張する空洞の作動ステム１４６の上に搭載される。作動ボタンはステム１４６の上に搭載される。このボタンを押すと、内部チャンバーの中のピストンが下がる。それにより、このチャンバーの中の流体製品は、作動ステム１４６と投与オリフィス１８を通って排出される。
【００３１】
保持部材１３０は、外部構成を提供する凸おおい１６０を有する。おおい１６０の底は、水平方向に突出しているフランジ１６２を有する。フランジ１６２の上のおおい１６０の周りの４つの位置には、外側に向かって突出している小さな突起１６６（図１、７）が配置される。各突起１６６は、キャップすなわちカバー２０の底で放射状に内側に伸張している突起すなわちビード１７０と、スナップフィット係合が確立されるように適合される。キャップすなわちカバー２０及び／又は保持部材おおい１６０の下部は、キャップ２０がディスペンサの上に設置されるとき、キャップ２０とおおい１６０との相対的な動きが調整されるように、弾力があり、湾曲しうる。キャップ及び／又はおおいからなる部分は、キャップビード１７０が保持部材おおい１６０の突起１６６の下にかつ隣接して位置するように、十分に湾曲する。この向かい合う関係により、スナップフィット係合が確立される。
【００３２】
保持部材１３０の中のおおい１６０から下方に突出しているのは、環状スリーブ１９０（図２）である。スリーブ１９０は、支持部３０の環状壁６８を収容し、また、ポンプ１４の上方に突出する部分を収容する口、孔、すなわち通路１９２を定義する（図３）。
環状フランジ１９６は、ポンプフランジ１４０の上方面と係合するために、保持部材の環状スリーブ１９０から放射状に内側に伸張している。また、スリーブ１９０は、内側に伸張するビード２０２を有しており、このビード２０２は、支持部の環状壁６８によって定義される環状溝７４によって受け止められる。支持部の環状壁６８と保持部材の環状スリーブ１９０との一方または両方は、ビード２０２と溝７４との相対的な動きが調整されて対応する組同士となり、スナップフィット係合がなされるように、少なくともビード２０２及び／又は溝７４の領域は弾力があり、湾曲しうる。
【００３３】
この他の好ましい実施形態としては、ボディ８０と協力して支持部３０をボディとそれとの間に締め付けることにより支持部３０を支持するためのスナップフィット係合手段を、保持部材がその外縁上に備える構成がある。保持部材は、例えばスナップフィットリムを備えることが必要であり、また、空洞ボディは、スナップフィット溝を備える端部とともに形成されることが必要である。この場合、上記実施形態のように保持部材は支持部と協力する必要はない。しかし、両方のスナップフィット係合を組み合わせることは可能である。
【００３４】
支持部をボディと係合させるという特徴は、支持部の結合構造に関係する特徴なしにも実施可能である。これを言い換えるならば、バッグを支持部の上に取り付ける方法と、バッグの上に支持部を保持する技術とは、完全に独立しており、別々に保護することができるものである。
一般に、ポンプ１４は最初保持部材１３０の中に配置される。その際、ガスケットを採用する場合には、ガスケット１３４とともに配置される。また、そう望むなら、キャップ２０も最初スナップフィット係合とともにポンプ１４の上方の保持部材１３０に搭載してもよい。この上部のサブアセンブリは、これによって下部のサブアセンブリの支持部３０に搭載される準備が整う。これら二つのサブアセンブリが、図３、６に示すように一緒に適切に搭載されるときには、ポンプフランジ１４０は保持部材フランジ１９６と支持部の環状壁６８の上方端６９との間で締め付けられる。ガスケット１３４は、シールが確実に漏洩のないものとなるように、好ましくはポンプフランジ１４０と支持部の環状壁６８の上方端６９との間に採用される。
【００３５】
上記二つのサブアセンブリを搭載する前に、下部のサブアセンブリを流体製品で満たす。一般に、この充填過程は、真空下で行われるのが好ましい。次に、真空がそれらの部品をおおっている間に、支持部３０と保持部材１３０との間のスナップフィット係合を確立するために、上部のサブアセンブリを下部のサブアセンブリの支持部３０の上の位置に移動する。本発明によって提供されるこの部品一式は、比較的低コストで、熱可塑性の材料によって簡単に製造することができる。したがって、この部品一式から作られるディスペンサは、使い捨てのディスペンサと考えることができる。
この部品一式は、簡単に使用できるディスペンサを提供するために、簡単に組み立てることができる。取り外し可能なキャップ２０を除いて、これらの部品は簡単に分解することができない。完成されたディスペンサは、流体製品を酸化や他の外的汚染物質から保護する。
【００３６】
平行空間フランジを定義する支持部３０の係合構造３２については、簡単な成型やバッグの口のシールを可能にし、完全なシール結合を保証するものである。なぜなら、端部５６及び５８と同様、フランジの端部は、成型過程で一部が溶けるからである。溶けたリブ端部のそれぞれは、良好なシール隔壁を形成する。さらに、端部５６及び５８は、成型過程で一部が溶けるが、バッグの両方のシートが結合するレベルで良好な変遷要素（transition element）を提供する。
【図面の簡単な説明】
【図１】図１は、本発明の一の形態に従って一連の構成要素から組み立てられた、本発明の実施例であるディスペンサの斜視図を示す。
【図２】図２は、前記ディスペンサの一部の構成要素を示す拡大組立分解断面図を示す。
【図３】  図３は、図１に示すディスペンサにおいてキャップをした状態の拡大断面図を示す。
【図４】  図４は、図２の面４−４についての支持部の平面図を示す。
【図５】  図５は、図２の面５−５についての支持部の底面図を示す。
【図６】  図６は、図３の面６−６についての部分断面図を示す。
【図７】  図７は、図３の面７−７についての拡大部分断面図を示す。
【図８】  図８は、図３の面８−８についての拡大断面図を示す。
【図９】  図９は、ボディ及びバッグの支持部の分解部分斜視図を示す。
【図１】
0004169932.tif 000002
【図２】
0004169932.tif 000003
【図３】
0004169932.tif 000004
【図４】
0004169932.tif 000005
【図５】
0004169932.tif 000006
【図６】
0004169932.tif 000007
【図７】
0004169932.tif 000008
【図８】
0004169932.tif 000009
【図９】
0004169932.tif 000010